(57)【要約】【課題】既存の貯液器具及び加熱装置を改修することなく簡単な構成で確実に空焚きを防止することのできる空焚防止装置を提供すること。【解決手段】本考案の空焚防止装置１は、被加熱液を貯留する貯液器具５と、貯液器具５を加熱する加熱装置２と、加熱装置２の上方において水平軸Ｊ１回りに回動自在となるように軸支された定滑車３と、被加熱液を充液した貯液器具５の重量よりも軽く且つ貯液器具５自身の重量よりも重い錘６と、定滑車３に掛け廻されると共に一端が貯液器具５に取り付けられ他端が錘６に取り付けられたロープ７とを備えることを特徴とする。【選択図】      図１
0003120752.tif 000002
【実用新案登録請求の範囲】
【請求項１】
被加熱液を貯留する貯液器具（５）と、貯液器具（５）を加熱する加熱装置（２）と、加熱装置（２）の上方において水平軸（Ｊ１）回りに回動自在となるように軸支された定滑車（３）と、被加熱液を充液した貯液器具（５）の重量よりも軽く且つ貯液器具（５）自身の重量よりも重い錘（６）と、定滑車（３）に掛け廻されると共に一端が貯液器具（５）に取り付けられ他端が錘（６）に取り付けられたロープ（７）とを備えることを特徴とする空焚防止装置。
【請求項２】
前記貯液器具（５）が加熱装置（２）から所定の高さ以上に上昇することを規制する上昇規制手段（８）を備える請求項１に記載の空焚防止装置。
【請求項３】
前記上昇規制手段は、降下した錘（６）が着座可能な着座面（８１）を有する台座（８）からなり、当該台座（８）は、貯液器具（５）が加熱装置（２）上にあるときの錘（６）と着座面（８１）との距離（Ｌ２）が、そのときの貯液器具（５）におけるロープ（７）の取付部と定滑車（３）との距離（Ｌ３）よりも短くなるように配置される請求項２に記載の空焚防止装置。
【請求項４】
前記定滑車は、第１定滑車（３）と、この第１定滑車（３）と所定の横方向距離（Ｌ１）を隔てて水平軸（Ｊ２）回りに回動自在となるように軸支された第２定滑車（４）とによりなる請求項１から請求項３のいずれかに記載の空焚防止装置。
【請求項５】
前記ロープ（７）は、耐熱材を材質としてなる請求項１から請求項４のいずれかに記載の空焚防止装置。
【請求項６】
前記錘（６）の重量が可変に構成される請求項１から請求項５のいずれかに記載の空焚防止装置。
【考案の詳細な説明】
【技術分野】
【０００１】
本考案は空焚防止装置に関する。より詳しくは、薬缶、土瓶、鍋、釜等の貯液器具の空焚きを防止する装置に関する。
【背景技術】
【０００２】
石油ストーブ等の加熱装置の使用中に、室内の空気を加湿するため、充水した薬缶を加熱装置の上に置くことがある。その際、湯が全て蒸発し薬缶が空焚きを起こしてしまうことがしばしばある。薬缶の空焚き防止を目的とした考案として、例えば特許文献１には、薬缶の注ぎ口に笛ユニットを設け沸騰時の水蒸気の通過によって報知音を発するように構成した、いわゆる笛付薬缶が記載されている。また、特許文献２には、油槽に設けたフロートとこのフロートの位置に応じてオンオフするリミットスイッチとにより油の液面を検知し、液面が規定の高さ以下になったときにその検知信号に基づいて加熱装置を停止させる液面検知式の空焚防止装置が記載されており、この原理を石油ストーブと薬缶に摘要することも可能である。
【特許文献１】実開平２−８３３０号公報
【特許文献２】実開平６−６２９４５号公報
【考案の開示】
【考案が解決しようとする課題】
【０００３】
しかし、笛付薬缶を上記のように室内の空気の加湿目的で使用した場合は、湯が沸いても笛音はそれ程大きくはならず、特に耳障りでもないため、そのまま放置し且つ忘れてしまうことがある。また、上記した液面検知式の空焚防止装置では、リミットスイッチや制御回路などを必要とし、既存の石油ストーブと薬缶を大幅に改修しなければならないという煩わしさがある。本考案はこのような問題に鑑みてなされたものであり、既存の貯液器具及び加熱装置を改修することなく簡単な構成で確実に空焚きを防止することのできる空焚防止装置を提供することを目的とする。
【課題を解決するための手段】
【０００４】
上記目的を達成するため、請求項１の空焚防止装置１は、被加熱液を貯留する貯液器具５と、貯液器具５を加熱する加熱装置２と、加熱装置２の上方において水平軸Ｊ１回りに回動自在となるように軸支された定滑車３と、被加熱液を充液した貯液器具５の重量よりも軽く且つ貯液器具５自身の重量よりも重い錘６と、定滑車３に掛け廻されると共に一端が貯液器具５に取り付けられ他端が錘６に取り付けられたロープ７とを備えることを特徴とする。請求項１の空焚防止装置１によると、貯液器具５は加熱装置２によって加熱され、被加熱液は時間の経過とともに昇温する。昇温に伴い蒸発が起こり、貯液器具５内は減液する。錘６は充液した貯液器具５の重量よりも軽く且つ貯液器具５自身の重量よりも重いため、貯液器具５内が空になる前に力の釣り合いが破れる。その結果、図１の破線に示されるように錘６は降下し、それに伴い定滑車３は水平軸Ｊ１を回動軸として図中反時計方向に回動し、貯液器具５はロープ７により引き上げられる。これにより貯液器具５は加熱装置２から離脱し、空焚きが防止される。
【０００５】
請求項２の空焚防止装置１は、前記貯液器具５が加熱装置２から所定の高さ以上に上昇することを規制する上昇規制手段８を備える。請求項２の空焚防止装置１によると、上昇中の貯液器具５は、定滑車３に当たる前に上昇規制手段８により停止するため、貯液器具５が定滑車３に当たって不安定な恰好で止まるようなことがなく、貯液器具５内の残液が零れ落ちる畏れがない。このような上昇規制手段８は、例えば貯液器具５と定滑車３との間に設けられ上昇中の貯液器具５に当たる当接部材で構成することができる。
【０００６】
請求項３の空焚防止装置１では、前記上昇規制手段は、降下した錘６が着座可能な着座面８１を有する台座８からなり、当該台座８は、貯液器具５が加熱装置２上にあるときの錘６と着座面８１との距離Ｌ２が、そのときの貯液器具５におけるロープ７の取付部と定滑車３との距離Ｌ３よりも短くなるように配置される。請求項３の空焚防止装置１によると、降下中の錘６は、貯液器具５が定滑車３に当たる前に台座８に着座して停止するため、貯液器具５が定滑車３に当たって不安定な恰好で止まるようなことがなく、貯液器具５内の残液が零れ落ちる畏れがない。
【０００７】
請求項４の空焚防止装置１では、前記定滑車は、第１定滑車３と、この第１定滑車３と所定の横方向距離Ｌ１を隔てて水平軸Ｊ２回りに回動自在となるように軸支された第２定滑車４とによりなる。請求項４の空焚防止装置１によると、横方向距離Ｌ1をもつようにすることで、貯液器具５と錘６との水平距離を長く確保することができ、平面視の面積が広い加熱装置にも対応可能となる。
【０００８】
請求項５の空焚防止装置１では、前記ロープ７は耐熱材を材質としてなる。請求項５の空焚防止装置１によると、加熱装置２から受けた熱によりロープ７が変形したり燃えたりしない。
【０００９】
請求項６の空焚防止装置１では、前記錘６の重量が可変に構成される。請求項６の空焚防止装置１によると、貯液器具５が重いか若しくは容量が大きい場合、または反対に貯液器具５が軽いか若しくは容量が小さい場合でも対応でき融通性に優れる。
【考案の効果】
【００１０】
本考案の空焚防止装置によると、既存の貯液器具及び加熱装置を改修することなく簡単な構成で確実に空焚きを防止することができる。
【考案を実施するための最良の形態】
【００１１】
図１は本考案に係る空焚防止装置の正面図である。図１に示すように、空焚防止装置１は、石油ストーブ２、第１定滑車３、第２定滑車４、薬缶５、錘６、ロープ７及び台座８から構成される。
【００１２】
石油ストーブ２は天板２１を備え、その上に薬缶等の貯液器具を置いて加熱可能な型式である。第１定滑車３は、石油ストーブ２の真上において水平軸Ｊ１回りに回動自在となるように軸支される。第２定滑車４は、第１定滑車３と所定の横方向距離Ｌ１を隔てた位置において水平軸Ｊ２回りに回動自在となるように軸支される。薬缶５は、注ぎ口を供える薬缶本体５１と、薬缶本体５１の上部に取り付けられた取っ手５２とを備える。
【００１３】
錘６は、上面及び側面にそれぞれフック６１及びフック６２を備えた分銅で構成され、その重量は、充水した薬缶５の重量よりも軽く且つ薬缶５自身の重量よりも重いものとされる。また、重量調整用のために、錘６と同様な形状で重さが異なる調整用分銅６ａ，６ｂ，・・・がいくつか用意されている。ロープ７は、ステンレスやアルミニウム等の金属を材質とし、第１定滑車３と第２定滑車４とに掛け廻されると共に、その一端７１は薬缶５の取っ手５２に取り付けられ他端７２は錘６のフック６１に取り付けられる。台座８は、第２定滑車４の真下に設けられ、降下した錘６を着座可能な着座面８１を備える。台座８は、薬缶５が石油ストーブ２の天板２１上にあるときの錘６と着座面８１との距離Ｌ２が、そのときの薬缶５の取っ手５２におけるロープ７の取付部と第１定滑車３との距離Ｌ３よりも短くなるように配置される。
【００１４】
次に、以上のように構成された空焚防止装置１の作用効果について説明する。初期状態として、石油ストーブ２は燃焼中であり、薬缶５は充水された状態で石油ストーブ２の天板２１上に置かれているものとする。
【００１５】
薬缶５の底部が加熱されることにより、内部の水は時間の経過とともに昇温する。昇温に伴い蒸発が起こり、薬缶５内は減液する。錘６は充水した薬缶５の重量よりも軽く且つ薬缶５自身の重量よりも重いため、薬缶５内が空になる前に力の釣り合いが破れる。その結果、図１の破線に示されるように、錘６は降下し、それに伴い第１定滑車３及び第２定滑車４はそれぞれ水平軸Ｊ１，Ｊ２回りを図中反時計方向に回動し、薬缶５はロープ７により引き上げられる。これにより薬缶５は天板２１から離脱し、空焚きが防止される。
【００１６】
ここで、台座８は、上記したように距離Ｌ２＜距離Ｌ３となるように配置されることから、錘６は、薬缶５が第１定滑車３に当たる前に台座８に着座して停止するため、薬缶５が第１定滑車３に当たって不安定な恰好で止まるようなことがなく、薬缶５内の残液が零れ落ちる畏れがない。また、第１定滑車３と第２定滑車４とは、所定の横方向距離Ｌ１を隔てて設けられるため、薬缶５と錘６との水平距離を長く確保することができ、平面視の面積が広い石油ストーブにも対応可能となる。薬缶５の加熱中において、ロープ７の取っ手５２との取付部付近は石油ストーブ２に接近しているが、ロープ７は金属を材質とするため耐熱性に優れ、石油ストーブ２から受けた熱により変形したり燃えたりしない。また、調整用分銅６ａ，６ｂ，・・・を錘６と交換するかまたは錘６のフック６２に吊り下げて錘６の重量を適宜調節できるので、重量または容量の異なる薬缶にも対応することができ融通性に優れる。
【００１７】
以上、本考案の実施の形態について説明を行ったが、上に開示した実施の形態は、あくまで例示であって、本考案の範囲はこの実施の形態に限定されるものではない。本考案の範囲は、実用新案登録請求の範囲の記載によって示され、更に実用新案登録請求の範囲と均等の意味及び範囲内でのすべての変更を含むことが意図される。例えば、加熱装置は石油ストーブに限らず、火鉢、囲炉裏、ガスコンロ、焼却装置などでもよい。貯液器具は薬缶に限らず、土瓶、鍋、釜などでもよい。錘は分銅に代えて、適量の液体を収容するペットボトル等の容器としても実現できる。ロープの材質は、加熱装置が直接高熱を放射するものでない場合は、マニラ麻、合成樹脂、ナイロン（登録商標）などを用いてもよい。なお、本考案で言う「被加熱液」は、字義通りに液体だけを意味するのではなく、例えば煮炊き用の具が入っているものも含める。
【図面の簡単な説明】
【００１８】
【図１】本考案に係る空焚防止装置の正面図である。
【符号の説明】
【００１９】
１  空焚防止装置
２  石油ストーブ（加熱装置）
３  第１定滑車（第１定滑車、定滑車）
４  第２定滑車
５  薬缶（貯液器具）
６  錘
７  ロープ
８  台座（上昇規制手段、台座）
８１  着座面
Ｊ１  水平軸
Ｊ２  水平軸
Ｌ1  横方向距離
Ｌ２  距離
Ｌ３  距離
【図１】
0003120752.tif 000003